(57)【特許請求の範囲】
【請求項１】
利用者が配置した文書を撮影した画像を生成する撮影ステップと、
前記撮影ステップにより生成された前記画像を複数の領域に分割する分割ステップと、
前記複数の領域それぞれの位置情報を分割判定結果記憶部に格納するステップと、
前記分割ステップにより分割された前記複数の領域それぞれに新規の情報を取得するための取得情報としてＵＲＬ（Uniform Resource Locator）が含まれるか否かを判定する判定ステップと、
前記複数の領域のうち、前記判定ステップによりＵＲＬが含まれると判定された領域については、前記領域から、前記ＵＲＬを前記取得情報として抽出し、前記判定ステップによりＵＲＬが含まれないと判定された領域については、前記領域内に含まれる単語のうち、重要度が高い単語を検索用キーワードとして抽出し、前記抽出した検索用キーワードを検索用Ｗｅｂページで検索するためのＵＲＬを前記取得情報として抽出するステップと、
前記取得情報が抽出された領域の位置情報に対応付けて、前記取得情報を前記分割判定結果記憶部に格納するステップと、
前記撮影ステップにより生成された前記画像を所定の表示部に表示させるように制御する表示制御ステップと、
前記表示制御ステップの制御により前記画像が前記所定の表示部に表示された状態で、当該所定の表示部に対して光送信装置から送信された光を検知する検知ステップと、
前記検知ステップが検知した前記光の位置を取得し、前記分割判定結果記憶部の位置情報を参照して、当該取得した位置に対応する領域を前記分割ステップにより分割された前記複数の領域から特定する特定ステップと、
前記分割判定結果記憶部を参照して、前記特定ステップにより特定された領域の取得情報に基づく新規の情報を情報提供装置から取得する取得ステップと、
前記取得ステップにより取得された前記取得情報に基づく新規の情報を前記所定の表示部にてさらに表示するように制御する第二の表示制御ステップと、
を含むことを特徴とする文書処理方法。
【請求項２】
文書処理を行なう文書処理装置と、光を送信する光送信装置と、情報を提供する情報提供装置とを含む文書処理システムであって、
前記文書処理装置は、
利用者が配置した文書を撮影した画像を生成する撮影手段と、
前記撮影手段により生成された前記画像を複数の領域に分割する分割手段と、
前記複数の領域それぞれの位置情報を分割判定結果記憶部に格納する手段と、
前記分割手段により分割された前記複数の領域それぞれに新規の情報を取得するための取得情報としてＵＲＬ（Uniform Resource Locator）が含まれるか否かを判定する判定手段と、
前記複数の領域のうち、前記判定手段によりＵＲＬが含まれると判定された領域については、前記領域から、前記ＵＲＬを前記取得情報として抽出し、前記判定手段によりＵＲＬが含まれないと判定された領域については、前記領域内に含まれる単語のうち、重要度が高い単語を検索用キーワードとして抽出し、前記抽出した検索用キーワードを検索用Ｗｅｂページで検索するためのＵＲＬを前記取得情報として抽出する手段と、
前記取得情報が抽出された領域の位置情報に対応付けて、前記取得情報を前記分割判定結果記憶部に格納する手段と、
前記撮影手段により生成された前記画像を所定の表示部に表示させるように制御する表示制御手段と、
前記表示制御手段の制御により前記画像が前記所定の表示部に表示された状態で、当該所定の表示部に対して前記光送信装置から送信された光を検知する検知手段と、
前記検知手段が検知した前記光の位置を取得し、前記分割判定結果記憶部の位置情報を参照して、当該取得した位置に対応する領域を前記分割手段により分割された前記複数の領域から特定する特定手段と、
前記分割判定結果記憶部を参照して、前記特定手段により特定された領域の取得情報に基づく新規の情報を前記情報提供装置から取得する取得手段と、
前記取得手段により取得された前記取得情報に基づく新規の情報を前記所定の表示部にて表示するように制御する第二の表示制御手段と、
を備えたことを特徴とする文書処理システム。
【発明の詳細な説明】
【技術分野】
【０００１】
この発明は、文書処理方法および文書処理システムに関する。
【背景技術】
【０００２】
従来、紙媒体の情報からインターネット上のウェブサイトなどにアクセスする技術やサービスの開発が進められている。
【０００３】
かかる技術を搭載した装置としては、例えば、カメラにより紙媒体に印刷されているバーコードを撮影して当該バーコードに組み込まれているＵＲＬ（Uniform Resource Locator）の情報を読み取り、読み取ったＵＲＬに自動的にアクセス可能な携帯電話が知られている（例えば、非特許文献１参照）。
【先行技術文献】
【非特許文献】
【０００４】
【非特許文献１】“バーコード読取機能とは”、［online］、［平成２２年３月２３日検索］、インターネット＜http://www.nttdocomo.co.jp/service/func_tool/barcode/about/index.html＞
【発明の概要】
【発明が解決しようとする課題】
【０００５】
ところで、上記した従来の技術は、バーコードで示されるＵＲＬに単にアクセスし、アクセスしたＵＲＬのウェブページを表示するに過ぎず、紙媒体の文書と当該紙媒体の文書に記載されている新規の情報とを関連付けて表示することはできなかった。
【０００６】
そこで、この発明は、上述した従来技術の課題を解決するためになされたものであり、紙媒体の文書と当該紙媒体の文書に記載されている新規の情報とを関連付けて表示することが可能となる文書処理方法および文書処理システムを提供することを目的とする。
【課題を解決するための手段】
【０００７】
上述した課題を解決し、目的を達成するために、この方法は、利用者が配置した文書を撮影した画像を生成する撮影ステップと、前記撮影ステップにより生成された前記画像を複数の領域に分割する分割ステップと、前記分割ステップにより分割された前記複数の領域それぞれに新規の情報を取得するための取得情報が含まれるか否かを判定する判定ステップと、前記撮影ステップにより生成された前記画像を所定の表示部に表示させるように制御する表示制御ステップと、前記表示制御ステップの制御により前記画像が前記所定の表示部に表示された状態で、当該所定の表示部に対して光送信装置から送信された光を検知する検知ステップと、前記検知ステップが検知した前記光の位置を取得し、当該取得した位置に対応する領域を前記分割ステップにより分割された前記複数の領域から特定する特定ステップと、前記特定ステップにより特定された領域に前記取得情報が含まれていると前記判定ステップにより判定されている場合、当該取得情報に基づく新規の情報を情報提供装置から取得する取得ステップと、前記取得ステップにより取得された前記取得情報に基づく新規の情報を前記所定の表示部にてさらに表示するように制御する第二の表示制御ステップと、を含んだことを要件とする。
【０００８】
また、このシステムは、文書処理を行なう文書処理装置と、光を送信する光送信装置と、情報を提供する情報提供装置とを含む文書処理システムであって、前記文書処理装置は、利用者が配置した文書を撮影した画像を生成する撮影手段と、前記撮影手段により生成された前記画像を複数の領域に分割する分割手段と、前記分割手段により分割された前記複数の領域それぞれに新規の情報を取得するための取得情報が含まれるか否かを判定する判定手段と、前記撮影手段により生成された前記画像を所定の表示部に表示させるように制御する表示制御手段と、前記表示制御手段の制御により前記画像が前記所定の表示部に表示された状態で、当該所定の表示部に対して前記光送信装置から送信された光を検知する検知手段と、前記検知手段が検知した前記光の位置を取得し、当該取得した位置に対応する領域を前記分割手段により分割された前記複数の領域から特定する特定手段と、前記特定手段により特定された領域に前記取得情報が含まれていると前記判定手段により判定されている場合、当該取得情報に基づく新規の情報を前記情報提供装置から取得する取得手段と、前記取得手段により取得された前記取得情報に基づく新規の情報を前記所定の表示部にて表示するように制御する第二の表示制御手段と、を備えたことを要件とする。
【発明の効果】
【０００９】
開示の方法およびシステムによれば、紙媒体の文書と当該紙媒体の文書に記載されている新規の情報とを関連付けて表示することが可能となる。
【図面の簡単な説明】
【００１０】
【図１】図１は、本実施例に係る文書処理システムの構成を説明するための図である。
【図２】図２は、本実施例に係るリモコンの外観例を説明するための図である。
【図３】図３は、本実施例に係る文書処理装置の外観例を説明するための図である。
【図４】図４は、本実施例に係る文書処理装置の構成を説明するための図である。
【図５】図５は、分割部および特定部を説明するための図である。
【図６】図６は、表示制御部により表示される撮影画像の一例を説明するための図である。
【図７】図７は、受領者から照射される可視光の一例を説明するための図である。
【図８】図８は、特定部を説明するための図である。
【図９】図９は、表示制御部により表示されるウェブページの一例を説明するための図である。
【図１０】図１０は、取得処理指示による情報判定部、取得部および表示制御部の処理を説明するための図である。
【図１１】図１１は、本実施例に係る文書処理装置の処理を説明するためのフローチャートである。
【発明を実施するための形態】
【００１１】
以下に添付図面を参照して、この発明に係る文書処理方法および文書処理システムの実施例を詳細に説明する。なお、以下では、本発明に係る文書処理方法を実行する文書処理システムを実施例として説明する。
【実施例】
【００１２】
まず、図１を用いて、本実施例に係る文書処理システムの構成について説明する。図１は、本実施例に係る文書処理システムの構成を説明するための図である。
【００１３】
本実施例に係る文書処理システムは、図１に示すように、発送者が発送した紙媒体の文書（例えば、葉書やダイレクトメールなど）に対して処理を行なう文書処理装置１０と、可視光を送信するリモコン２０とを含む。さらに、本実施例に係る文書処理システムは、図１に示すように、文書処理装置１０とネットワーク３０を介して接続されるウェブサーバ群４０を含む。なお、図１に示す文書処理装置１０およびリモコン２０は、紙媒体の文書を受領した受領者が操作する装置である。
【００１４】
また、文書処理装置１０は、ネットワーク３０を介してウェブサーバ群４０に対しウェブページの閲覧要求を送信し、閲覧要求に応じてウェブサーバ群４０が送信したデータに基づくウェブページを、文書処理装置１０のディスプレイに表示するためのソフトウェア（ブラウザ）が組み込まれている。
【００１５】
図２は、本実施例に係るリモコンの外観例を説明するための図である。図２に示すように、リモコン２０は、照射口２２から可視光を照射するための可視光スイッチ２１を有する。リモコン２０は、可視光スイッチ２１が受領者により押下された場合、照射口２２から可視光を照射させる。また、リモコン２０は、文書処理装置１０にて表示されるウェブページに関する処理を指示するための各種ボタンを有する。具体的には、リモコン２０は、詳細ボタン２３（図中に示す「詳細」）および消去ボタン２４（図中に示す「消去」）を有する。なお、詳細ボタン２３および消去ボタン２４については、後に詳述する。
【００１６】
図３は、本実施例に係る文書処理装置の外観例を説明するための図である。図３に示すように、文書処理装置１０は、スキャナー１１と、表示部１２と、信号受信部１３と、スピーカ１４と、入力部１５と、通信部１６とを有する。
【００１７】
スキャナー１１は、受領者が配置した紙媒体の文書を撮影した撮影画像を生成するために用いられ、文書を読込んで、読込んだ文書をデジタルデータに変換する。
【００１８】
表示部１２は、光センサが内蔵された光センサ内臓ディスプレイである。具体的には、表示部１２は、ディスプレイ機能により、スキャナー１１が変換したデジタルデータから生成された撮影画像を表示する。また、表示部１２は、内蔵された光センサにより、リモコン２０から照射された可視光を検知する。
【００１９】
信号受信部１３は、詳細ボタン２３および消去ボタン２４から送信された情報取得に関する各種取得処理指示を受信する。
【００２０】
スピーカ１４は、音声出力に用いられ、例えば、図３に示すように、文書処理装置１０の前面において２箇所設置される。
【００２１】
入力部１５は、受領者が文書処理装置１０の電源ＯＮ／ＯＦＦや、スキャナー１１によるスキャン開始、文書処理装置１０による処理終了などを行なうための各種ボタン群を有する。
【００２２】
通信部１６は、ネットワーク３０を介して、ウェブサーバ群４０に内包される各ウェブサーバとの間で各種情報の送受信を行なう。
【００２３】
そして、かかる外観を有する文書処理装置１０およびリモコン２０は、ウェブサーバ群４０と協働することで、紙媒体の文書の受領者に対して、紙媒体の文書と当該紙媒体の文書に記載されている新規の情報とを関連付けて表示することが可能となるように構成されている。以下、文書処理装置１０が有する機能について図４などを用いて詳細に説明する。
【００２４】
図４は、本実施例に係る文書処理装置の構成を説明するための図である。図４に示すように、本実施例に係る文書処理装置１０は、上述したスキャナー１１、表示部１２、信号受信部１３、スピーカ１４、入力部１５および通信部１６とともに、記憶部１７と制御部１８とを有する。
【００２５】
記憶部１７は、制御部１８による各種処理結果を記憶し、図４に示すように、特に本実施例に関連するものとして、画像記憶部１７ａおよび分割判定結果記憶部１７ｂを有する。
【００２６】
画像記憶部１７ａは、後述する撮影画像生成部１８ａによる処理結果を記憶し、分割判定結果記憶部１７ｂは、後述する分割部１８ｂおよび後述する情報判定部１８ｃによる処理結果を記憶するが、これらについては、後に詳述する。
【００２７】
制御部１８は、スキャナー１１、表示部１２、信号受信部１３および通信部１６から転送された各種情報に基づいて各種処理を実行し、特に本実施例に関連するものとして、撮影画像生成部１８ａと、分割部１８ｂと、情報判定部１８ｃと、表示制御部１８ｄと、特定部１８ｅと、取得部１８ｆと、指示判定部１８ｇとを有する。
【００２８】
撮影画像生成部１８ａは、スキャナー１１から転送されたデジタルデータから文書を撮影した画像（撮影画像）を生成し、生成した撮影画像を画像記憶部１７ａに格納する。
【００２９】
分割部１８ｂは、撮影画像生成部１８ａにより生成された撮影画像を画像記憶部１７ａから読み出し、読み出した撮影画像を複数の領域に分割する。ここで、葉書やダイレクトメールなどの文書は、一般的に、写真や、本文、発送者の情報（住所、氏名、電話番号など）などのように、内容に応じて複数の領域に分けることができる。また、文書は、文書の背景色により占められる領域と、当該背景色と異なる色調により占められる領域とに分割することができる。すなわち、文書の背景色により囲まれる領域を特定することで、文書は、当該文書に記載されている内容に応じて複数の領域に分割することができる。
【００３０】
そこで、分割部１８ｂは、撮影画像の背景色を特定し、特定した背景色により囲まれる領域を特定することで、撮影画像に描出されている内容に応じて当該撮影画像を複数の領域に分割する。図５は、分割部および特定部を説明するための図である。
【００３１】
例えば、撮影画像の生成元である文書が、図５の（Ａ）に示すように、「写真」の領域と、「本文１」の領域と、「本文２」の領域と、「発送者情報」の領域との４つの領域により構成されているとする。
【００３２】
かかる場合、分割部１８ｂは、撮影画像の背景色を特定し、特定した背景色により囲まれる領域を特定することで、図５の（Ｂ）に示すように、「写真」の領域に対応する「領域Ａ」と、「本文１」の領域に対応する「領域Ｂ」と、「本文２」の領域に対応する「領域Ｃ」と、「発送者情報」の領域に対応する「領域Ｄ」とに撮影画像を分割する。
【００３３】
そして、分割部１８ｂは、図５の（Ｂ）に示すように、撮影画像における領域Ａの位置情報を「位置情報Ａ」として分割判定結果記憶部１７ｂに格納する。同様に、分割部１８ｂは、図５の（Ｂ）に示すように、撮影画像における領域Ｂの位置情報である「位置情報Ｂ」と、撮影画像における領域Ｃの位置情報である「位置情報Ｃ」と、撮影画像における領域Ｄの位置情報である「位置情報Ｄ」とをそれぞれ分割判定結果記憶部１７ｂに格納する。
【００３４】
図４に戻って、情報判定部１８ｃは、分割部１８ｂにより分割された複数の領域それぞれに新規の情報を取得するための取得情報が含まれるか否かを判定する。具体的には、情報判定部１８ｃは、電子透かし検出機能により撮影画像の各領域に電子透かしが含まれているか否かを判定する。そして、情報判定部１８ｃは、電子透かしが含まれていると判定した場合、当該電子透かしに組み込まれているＵＲＬ（Uniform Resource Locator）を新規の情報を取得するための取得情報として抽出する。
【００３５】
また、情報判定部１８ｃは、１次元バーコード、またはＱＲコードの読み取り機能により撮影画像の各領域に１次元バーコードやＱＲコードが含まれているか否かを判定する。そして、情報判定部１８ｃは、１次元バーコードやＱＲコードが含まれていると判定した場合、当該１次元バーコードや当該ＱＲコードに組み込まれているＵＲＬを取得情報として抽出する。
【００３６】
また、情報判定部１８ｃは、文字列認識機能により撮影画像の各領域に含まれる文字列を認識し、さらに、認識した文字列にＵＲＬを示す文字列（例えば、「ｈｔｔｐ：／／」を含む文字列）が含まれるか否かを判定する。そして、情報判定部１８ｃは、ＵＲＬが含まれていると判定した場合、当該ＵＲＬを取得情報として抽出する。
【００３７】
また、情報判定部１８ｃは、文字列認識機能によりＵＲＬが含まれないと判定した場合であっても、例えば、文字列認識機能により認識した文字列を単語に分解し、各単語に対してＴＦ（Term Frequency）法などを用いて重要度を算出し、算出された重要度が最も高い単語を所定の検索用ウェブページにて検索するための検索用キーワードとして抽出する場合であってもよい。かかる場合、情報判定部１８ｃは、検索用キーワードを所定の検索用ウェブページにて検索するためのＵＲＬを取得情報として抽出する。
【００３８】
例えば、撮影画像の生成元である文書において、図５の（Ａ）に示すように、「写真」の領域ＡにＱＲコードが埋め込まれ、「本文１」の領域Ｂに「ｈｔｔｐ:／／・・」のＵＲＬを示す文字列が記載されており、「発送者情報」の領域Ｄに電子透かしが埋め込まれているとする。
【００３９】
かかる場合、情報判定部１８ｃは、領域Ａ（写真）の取得情報（ａ）としてＱＲコードに組み込まれているＵＲＬ１を抽出する。また、情報判定部１８ｃは、領域Ｂ（本文１）の取得情報（ｂ）として「ｈｔｔｐ:／／・・」のＵＲＬ２を抽出する。また、情報判定部１８ｃは、領域Ｄ（発送者情報）の取得情報（ｄ）として電子透かしに組み込まれているＵＲＬ４を抽出する。また、情報判定部１８ｃは、領域Ｃにバーコードや電子透かし、ＵＲＬを示す文字列が含まれていない場合、本文２の文字列から分割した単語群から、図５の（Ａ）に示すように検索用キーワードとして「ｗｏｒｄ１」を抽出する。そして、情報判定部１８ｃは、領域Ｃ（本文２）の取得情報（ｃ）として「ｗｏｒｄ１」を所定の検索用ウェブページにて検索するためのＵＲＬ３を抽出する。
【００４０】
そして、情報判定部１８ｃは、図５の（Ｂ）に示すように、「位置情報Ａ」に対応付けて「ＵＲＬ１」を分割判定結果記憶部１７ｂに格納する。同様に、情報判定部１８ｃは、図５の（Ｂ）に示すように、「ＵＲＬ２」を「位置情報Ｂ」に対応付け、「ＵＲＬ３」を「位置情報Ｃ」に対応付け、「ＵＲＬ４」を「位置情報Ｄ」に対応付けて分割判定結果記憶部１７ｂに格納する。
【００４１】
なお、情報判定部１８ｃは、領域Ｃにて認識した文字列から分割した単語それぞれにて算出した重要度すべてが所定の値以下であった場合、領域Ｃに取得情報が含まれないと判定する。また、本実施例は、情報判定部１８ｃが電子透かし検出機能、バーコード読み取り機能のみを用いた取得情報抽出処理を行なう場合であってもよい。また、本実施例は、情報判定部１８ｃが文字列認識機能により、ＵＲＬを示す文字列のみを抽出し、重要度に基づく取得情報の抽出処理を行なわない場合であってもよい。
【００４２】
図４に戻って、表示制御部１８ｄは、撮影画像生成部１８ａにより生成された撮影画像を画像記憶部１７ａから読み出し、読み出した撮影画像を表示部１２に表示させるように制御する。図６は、表示制御部により表示される撮影画像の一例を説明するための図である。例えば、表示制御部１８ｄは、図６に示すように、図５の（Ａ）を用いて説明した文書から生成された撮影画像を、表示部１２の中心に表示させる。
【００４３】
かかる表示制御部１８ｄの制御により撮影画像が表示された状態で、撮影画像（すなわち、紙媒体の文書）に含まれる新規の情報を参照したい受領者は、撮影画像の所望の位置に向けてリモコン２０から可視光を照射する。そして、表示部１２の光センサは、リモコンから照射された可視光を検知し、検知した可視光の表示部１２における位置を特定する。図７は、受領者から照射される可視光の一例を説明するための図である。
【００４４】
例えば、図７に示すように、受領者は、表示部１２に表示された撮影画像の中で本文１に向けてリモコン２０から可視光を照射させる。そして、表示部１２の光センサは、リモコン２０から照射された可視光を検知し、検知した可視光の表示部１２における位置を特定する。
【００４５】
図４に戻って、特定部１８ｅは、表示部１２の光センサが特定した可視光の表示部１２における位置を取得し、当該取得した位置に対応する領域を分割部１８ｂにより分割された複数の領域から特定する。具体的には、特定部１８ｅは、光センサが特定した表示部１２における可視光の位置と、撮影画像の表示部１２における表示位置とから、可視光の位置が撮影画像においてどの位置に対応するかを特定する。そして、特定部１８ｅは、分割判定結果記憶部１７ｂに格納された各領域の位置情報を参照して、可視光が照射された位置に対応する領域を特定する。図８は、特定部を説明するための図である。例えば、特定部１８ｅは、表示部１２の光センサが特定した可視光の表示部１２における位置が「位置情報Ｂ」内に対応する位置にあると判定して、可視光の照射位置が分割部１８ｂにより撮影画像から分割された「領域Ｂ」に対応すると特定する。
【００４６】
図４に戻って、取得部１８ｆは、ブラウザ機能を有し、ネットワーク３０を介してウェブサーバ群４０に対しウェブページの閲覧要求を送信し、閲覧要求に応じてウェブサーバ群４０が送信したデータに基づくウェブページを取得する。具体的には、取得部１８ｆは、特定部１８ｅにより特定された領域に取得情報（ＵＲＬ）が含まれていると情報判定部１８ｃにより判定されている場合、当該取得情報に基づく新規の情報（ウェブページ）をウェブサーバ群４０に内包されるウェブサーバのいずれかから取得する。例えば、取得部１８ｆは、領域Ｂの取得情報（ｂ）である「ＵＲＬ２」のウェブページの閲覧要求を、通信部１６およびネットワーク３０を介してウェブサーバ群４０に対して送信する。そして、取得部１８ｆは、閲覧要求に応じてウェブサーバ群４０が送信した「ＵＲＬ２」のウェブページを、ネットワーク３０を介して取得する。
【００４７】
そして、表示制御部１８ｄは、取得部１８ｆにより取得された取得情報に基づく新規の情報であるウェブページを表示部１２にてさらに表示するように制御する。図９は、表示制御部により表示されるウェブページの一例を説明するための図である。
【００４８】
例えば、表示制御部１８ｄは、図９に示すように、領域Ｂに含まれていたＵＲＬ２のウェブページを表示部１２に表示させる。
【００４９】
ここで、表示制御部１８ｄは、撮影画像が表示部１２にて表示された状態で、当該撮影画像の前面に取得情報に基づく新規の情報を表示する。例えば、表示制御部１８ｄは、図９に示すように、ＵＲＬ２のウェブページが文書全体を撮影した撮影画像の前面に表示されるように制御する。
【００５０】
かかる表示制御部１８ｄの制御により撮影画像の前面に拡大画像が表示された状態で、受領者は、リモコン２０が有する各種ボタンを操作することで、取得情報を用いた処理を指示するための取得処理指示を送信することができる。
【００５１】
例えば、受領者は、取得情報により表示されたウェブページから、更に詳細な新規の情報を取得したい場合、詳細ボタン２３を押下する。すなわち、受領者は、取得情報により得られる新規の情報の粒度を細かくしたい場合、詳細ボタン２３を押下する。また、受領者は、取得情報により表示されたウェブページを消去して撮影画像を再度参照したい場合や、ウェブページを消去して撮影画像における他の領域にて抽出された取得情報に基づくウェブページを参照したい場合、消去ボタン２４を押下する。
【００５２】
かかる操作によりリモコン２０から送信された取得処理指示の信号は、図３および４に示す信号受信部１３により受信され、信号受信部１３は、受信した取得処理指示の信号を、図４に示す指示判定部１８ｇに転送する。
【００５３】
指示判定部１８ｇは、信号受信部１３から転送された取得処理指示の信号に含まれる指示内容を判定し、判定結果を情報判定部１８ｃ、取得部１８ｆおよび表示制御部１８ｄに転送する。図１０は、取得処理指示による情報判定部、取得部および表示制御部の処理を説明するための図である。
【００５４】
具体的には、判定結果が詳細情報の取得処理であった場合、指示判定部１８ｇは、判定結果を情報判定部１８ｃに転送し、情報判定部１８ｃは、現に表示されているウェブページに別のＵＲＬが含まれているか否かを判定する。そして、情報判定部１８ｃは、現に表示されているウェブページに別のＵＲＬが含まれている場合、当該ＵＲＬを取得部１８ｆに通知し、取得部１８ｆは、通知されたＵＲＬのウェブページを新たに取得する。そして、表示制御部１８ｄは、取得部１８ｆが新たに取得したウェブページを表示部１２に表示させる。
【００５５】
例えば、情報判定部１８ｃは、図１０の（Ａ）に示すように、ＵＲＬ２のウェブページに新たなＵＲＬ５が含まれていると判定し、取得部１８ｆにＵＲＬ５を通知する。そして、取得部１８ｆは、ＵＲＬ５のウェブページを新たに取得し、表示制御部１８ｄは、図１０の（Ｂ）に示すように、撮影画像の前面にて、ＵＲＬ５のウェブページおよびＵＲＬ２のウェブページを表示部１２に並列表示させる。なお、表示制御部１８ｄは、ＵＲＬ５のウェブページのみを撮影画像の前面に表示部１２に表示させてもよい。
【００５６】
また、判定結果がウェブページの消去処理（非表示処理）であった場合、指示判定部１８ｇは、ウェブページの非表示指示を表示制御部１８ｄに転送し、表示制御部１８ｄは、表示されているウェブページを非表示とする。そして、受領者は、リモコン２０を操作することで、例えば、撮影画像の写真（領域Ａ）に含まれるＵＲＬ１のウェブページを新たに表示させる。
【００５７】
上述した文書処理は、入力部１５が有する処理終了ボタンが受領者により押下されることで終了する。
【００５８】
続いて、図１１を用いて本実施例に係る文書処理装置１０の処理の手順について説明する。図１１は、本実施例に係る文書処理装置の処理を説明するためのフローチャートである。なお、図１１では、受領者が紙媒体の文書をスキャナー１１に配置した以降の処理について説明する。
【００５９】
図１１に示すように、本実施例における文書処理装置１０は、受領者から入力部１５を介してスキャン開始要求を受け付けたか否かを判定する（ステップＳ１０１）。スキャン開始要求を受け付けない場合（ステップＳ１０１否定）、文書処理装置１０は、待機状態となる。一方、スキャン開始要求を受け付けた場合（ステップＳ１０１肯定）、スキャナー１１は、文書の読み込み処理を行なって、当該文書をデジタルデータに変換し、撮影画像生成部１８ａは、スキャナー１１から転送されたデジタルデータから撮影画像を生成する（ステップＳ１０２）。
【００６０】
そして、分割部１８ｂは、撮影画像生成部１８ａにより生成された撮影画像を複数の領域に分割する（ステップＳ１０３）。具体的には、分割部１８ｂは、撮影画像の背景色を特定し、特定した背景色により囲まれる領域を特定することで、撮影画像に描出されている内容に応じて当該撮影画像を複数の領域に分割する。なお、分割部１８ｂは、分割した各領域の撮影画像における位置情報を分割判定結果記憶部１７ｂに格納する。
【００６１】
その後、情報判定部１８ｃは、分割部１８ｂにより分割された複数の領域それぞれに新規の情報を取得するための取得情報が含まれるか否かを判定する（ステップＳ１０４）。なお、情報判定部１８ｃは、取得情報が抽出された領域の撮影画像における位置情報に対応付けて当該抽出した取得情報（ＵＲＬ）を分割判定結果記憶部１７ｂに格納する。
【００６２】
そして、表示制御部１８ｄは、撮影画像生成部１８ａにより生成された撮影画像を表示部１２に表示させるように制御し（ステップＳ１０５）、表示部１２の光センサは、リモコン２０から照射された可視光を検知したか否かを判定する（ステップＳ１０６）。
【００６３】
ここで、可視光を検知した場合（ステップＳ１０６肯定）、表示部１２の光センサは、検知した可視光の表示部１２における位置を特定する。そして、特定部１８ｅは、表示部１２の光センサが特定した可視光の表示部１２における位置を取得し、当該取得した位置に対応する領域を分割部１８ｂにより分割された複数の領域から特定する（ステップＳ１０７）。
【００６４】
続いて、情報判定部１８ｃは、特定部１８ｅにより特定された領域に取得情報が含まれているか否かを判定する（ステップＳ１０８）。ここで、領域に取得情報（ＵＲＬ）が含まれている場合（ステップＳ１０８肯定）、取得部１８ｆは、当該取得情報（ＵＲＬ）のウェブページをウェブサーバ群４０に内包されるウェブサーバのいずれかから取得する（ステップＳ１０９）。
【００６５】
そして、表示制御部１８ｄは、取得部１８ｆが取得したウェブページを表示部１２に表示するように制御する（ステップＳ１１０）。
【００６６】
ステップＳ１１０の処理の後、または、表示部１２の光センサが可視光を検知しなかった場合（ステップＳ１０６否定）、信号受信部１３は、リモコン２０から取得処理指示を受信したか否かを判定する（ステップＳ１１１）。ここで、リモコン２０から取得処理指示を受信した場合（ステップＳ１１１肯定）、信号受信部１３は、受信した取得処理指示を指示判定部１８ｇに転送し、指示判定部１８ｇは、信号受信部１３から転送された取得処理指示の内容を判定する（ステップＳ１１２）。すなわち、指示判定部１８ｇは、取得処理指示の内容が、詳細情報の取得処理であるか、ウェブページの消去（非表示）処理であるかを判定する。
【００６７】
そして、指示判定部１８ｇは、判定結果を情報判定部１８ｃ、取得部１８ｆおよび表示制御部１８ｄに転送し、情報判定部１８ｃ、取得部１８ｆおよび表示制御部１８ｄは、判定結果に沿った処理を実行する（ステップＳ１１３）。例えば、判定結果が詳細情報の取得処理であった場合、指示判定部１８ｇは、判定結果を情報判定部１８ｃに転送し、情報判定部１８ｃは、現に表示されているウェブページに別のＵＲＬが含まれているか否かを判定する。そして、情報判定部１８ｃは、現に表示されているウェブページに別のＵＲＬが含まれている場合、当該ＵＲＬを取得部１８ｆに通知し、取得部１８ｆは、通知されたＵＲＬのウェブページを新たに取得する。そして、表示制御部１８ｄは、取得部１８ｆが新たに取得したウェブページを表示部１２に表示させる。また、判定結果がウェブページの消去処理（非表示処理）であった場合、指示判定部１８ｇは、ウェブページの非表示指示を表示制御部１８ｄに転送し、表示制御部１８ｄは、表示されているウェブページを非表示とする。
【００６８】
ステップＳ１１３の処理の後、または、信号受信部１３が画像処理指示を受信しなかった場合（ステップＳ１１１否定）、文書処理装置１０は、処理終了要求を受け付けたか否かを判定する（ステップＳ１１４）。
【００６９】
ここで、処理終了要求を受け付けなかった場合（ステップＳ１１４否定）、ステップＳ１０６に戻って、表示部１２の光センサは、リモコン２０から照射された可視光を検知したか否かを判定する。
【００７０】
一方、処理終了要求を受け付けた場合（ステップＳ１１４肯定）、文書処理装置１０は、処理を終了する。
【００７１】
上述してきたように、本実施例では、スキャナー１１は、受領者が配置した紙媒体の文書をデジタルデータに変換し、撮影画像生成部１８ａは、スキャナー１１から転送されたデジタルデータから文書を撮影した画像（撮影画像）を生成し、分割部１８ｂは、撮影画像生成部１８ａにより生成された撮影画像を複数の領域に分割する。情報判定部１８ｃは、分割部１８ｂにより分割された複数の領域それぞれに新規の情報を取得するための取得情報（ＵＲＬ）が含まれるか否かを判定する。表示制御部１８ｄは、撮影画像を表示部１２に表示させるように制御し、表示部１２の光センサは、リモコン２０から照射された可視光の表示部１２における位置を特定する。
【００７２】
そして、特定部１８ｅは、表示部１２の光センサが特定した可視光の表示部１２における位置を取得し、当該取得した位置に対応する領域を分割部１８ｂにより分割された複数の領域から特定する。取得部１８ｆは、特定部１８ｅにより特定された領域に取得情報（ＵＲＬ）が含まれていると情報判定部１８ｃにより判定されている場合、当該取得情報に基づく新規の情報（ウェブページ）をウェブサーバ群４０に内包されるウェブサーバのいずれかから取得する。そして、表示制御部１８ｄは、取得部１８ｆにより取得された取得情報に基づく新規の情報であるウェブページを表示部１２にてさらに表示するように制御する。
【００７３】
したがって、本実施例によれば、文書処理装置１０は、受領者がリモコン２０から可視光を照射した位置に該当する領域から取得可能な新規の情報（ウェブページ）を、紙媒体の文書全体を撮影した撮影画像とともに表示することができる。すなわち、本実施例によれば、文書処理装置１０は、紙媒体の文書と当該紙媒体の文書に記載されている新規の情報とを関連付けて表示することが可能となる。
【００７４】
また、本実施例では、表示制御部１８ｄは、撮影画像の前面に新規の情報（ウェブページ）を表示させるので、受領者は、新規の情報を確実に参照することができる。
【００７５】
また、本実施例では、リモコン２０は、取得情報を用いた処理を指示するための取得処理指示を送信し、信号受信部１３は、リモコン２０から受信した取得処理指示を指示判定部１８ｇに転送し、指示判定部１８ｇは、信号受信部１３から転送された取得処理指示の内容が、詳細情報の取得処理であるか、ウェブページの消去処理（非表示処理）であるかを判定し、判定結果を情報判定部１８ｃ、取得部１８ｆおよび表示制御部１８ｄに転送する。
【００７６】
そして、判定結果が詳細情報の取得処理であった場合、指示判定部１８ｇは、判定結果を情報判定部１８ｃに転送し、情報判定部１８ｃは、現に表示されているウェブページに別のＵＲＬが含まれているか否かを判定する。そして、情報判定部１８ｃは、現に表示されているウェブページに別のＵＲＬが含まれている場合、当該ＵＲＬを取得部１８ｆに通知し、取得部１８ｆは、通知されたＵＲＬのウェブページを新たに取得する。そして、表示制御部１８ｄは、取得部１８ｆが新たに取得したウェブページを表示部１２に表示させる。また、判定結果がウェブページの消去処理（非表示処理）であった場合、指示判定部１８ｇは、ウェブページの非表示指示を表示制御部１８ｄに転送し、表示制御部１８ｄは、表示されているウェブページを非表示とする。
【００７７】
したがって、本実施例によれば、受領者は、リモコン２０のボタンを操作するといった簡単な操作のみで、参照している新規の情報からさらに新規の情報を参照したり、別の領域から別の新規の情報を参照したりすることが可能となる。
【００７８】
なお、上記した実施例では、拡大画像の表示に際してリモコン２０から可視光が照射される場合について説明したが、本発明は、拡大画像の表示に際してリモコン２０から赤外線などが照射される場合であってもよい。
【００７９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８１】
なお、本実施例で説明した文書処理方法は、あらかじめ用意されたプログラムをパーソナルコンピュータやワークステーションなどのコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【産業上の利用可能性】
【００８２】
以上のように、本発明に係る文書処理方法および文書処理システムは、紙媒体の文書を画像処理する場合に有用であり、特に、紙媒体の文書と当該紙媒体の文書に記載されている新規の情報とを関連付けて表示することに適する。
【符号の説明】
【００８３】
１０  文書処理装置
１１  スキャナー
１２  表示部（光センサ内蔵ディスプレイ）
１３  信号受信部
１４  スピーカ
１５  入力部
１６  通信部
１７  記憶部
１７ａ  画像記憶部
１７ｂ  分割判定結果記憶部
１８  制御部
１８ａ  撮影画像生成部
１８ｂ  分割部
１８ｃ  情報判定部
１８ｄ  表示制御部
１８ｅ  特定部
１８ｆ  取得部
１８ｇ  指示判定部
２０  リモコン
２１  可視光スイッチ
２２  照射口
２３  詳細ボタン
２４  消去ボタン
３０  ネットワーク
４０  ウェブサーバ群
【図１】
0005554109.tif 000002
【図２】
0005554109.tif 000003
【図３】
0005554109.tif 000004
【図４】
0005554109.tif 000005
【図５】
0005554109.tif 000006
【図６】
0005554109.tif 000007
【図７】
0005554109.tif 000008
【図８】
0005554109.tif 000009
【図９】
0005554109.tif 000010
【図１０】
0005554109.tif 000011
【図１１】
0005554109.tif 000012